(57)【要約】【課題】通話中に実行された機器の動作の履歴を、ユーザが容易に確認できる、通話機能を有する機器を提供する。【解決手段】携帯電話機１は、ディスプレイ３と、記憶部１２と、制御部１１とを備える。記憶部１２は、通話中、通話と異なる機能に係る処理の履歴情報を記憶する。さらに、制御部１１は、通話が終了した後の所定時点において、記憶部１２に記憶された、前記処理の履歴情報をディスプレイ３に表示する。記憶部１２は、アプリケーションを起動する処理に基づく起動履歴情報、メッセージを送信する処理に基づく送信履歴情報、およびメッセージを受信する処理に基づく受信履歴情報の少なくとも一つを、前記処理の履歴情報として記憶する。【選択図】図２
2015056871.tif 000002
【特許請求の範囲】
【請求項１】
通話機能を有する機器において、
表示部と、
通話中、通話と異なる機能に係る処理の履歴情報を記憶する記憶部と、
通話が終了した後の所定時点において、前記記憶部に記憶された前記処理の履歴情報を前記表示部に表示する表示制御部と、を備える、
ことを特徴とする通話機能を有する機器。
【請求項２】
請求項１に記載の通話機能を有する機器において、
前記記憶部は、アプリケーションを起動する処理に基づく起動履歴情報、メッセージを送信する処理に基づく送信履歴情報、およびメッセージを受信する処理に基づく受信履歴情報の少なくとも一つを、前記処理の履歴情報として記憶する、
ことを特徴とする通話機能を有する機器。
【請求項３】
請求項１または２に記載の通話機能を有する機器において、
前記表示制御部は、通話が終了した時点において、前記記憶部に記憶された前記動作の履歴情報を前記表示部に表示する、
ことを特徴とする通話機能を有する機器
【請求項４】
請求項１ないし３の何れか一項に記載の通話機能を有する機器において、
前記表示制御部は、通話の履歴情報の一覧を前記表示部に表示し、当該一覧から何れかの通話の履歴情報が選択された場合、その通話の間に前記記憶部に記憶された前記処理の履歴情報を前記表示部に表示する、
ことを特徴とする通話機能を有する機器。
【請求項５】
請求項１ないし４の何れか一項に記載の通話機能を有する機器において、
前記表示制御部は、前記表示部に表示された前記処理の履歴情報に対する所定操作に基づいて、前記処理の履歴情報よりも詳細な、前記処理に係る情報を前記表示部に表示する、
ことを特徴とする通話機能を有する機器。
【請求項６】
請求項１ないし５の何れか一項に記載の通話機能を有する機器において、
前記記憶部はさらに、前記処理の履歴情報を、前記処理が行われた通話の履歴情報と対応付けて記憶し、
前記表示制御部は、前記通話に対応付けられて前記記憶部に記憶された前記処理の履歴情報を、その通話に対応する前記処理の履歴情報として前記表示部に表示する、
ことを特徴とする通話機能を有する機器。
【請求項７】
請求項１ないし５の何れか一項に記載の通話機能を有する機器において、
前記処理の履歴情報は、前記処理が行われた日時を示す日時情報を含み、
前記表示制御部は、日時情報が示す日時が通話の期間に含まれる、前記処理の履歴情報を、その通話に対応する前記処理の履歴情報として前記表示部に表示する、
ことを特徴とする通話機能を有する機器。
【請求項８】
通話機能を有する機器の制御方法であって、
通話中、通話と異なる機能に係る処理の履歴情報を記憶部に記憶するステップと、
通話が終了した後の所定時点において、前記記憶部に記憶された前記処理の履歴情報を表示部に表示するステップと、を含む、
ことを特徴とする制御方法。
【請求項９】
通話機能を有する機器のコンピュータに、
通話中、通話と異なる機能に係る処理の履歴情報を記憶部に記憶する機能と、
通話が終了した後の所定時点において、前記記憶部に記憶された前記処理の履歴情報を表示部に表示する機能と、を付与する、
ことを特徴とするプログラム。
【発明の詳細な説明】
【技術分野】
【０００１】
本発明は、携帯電話機、固定電話機、通話機能付きのＰＤＡ（PersonalDigital Assistant）、通話機能付きのタブレットＰＣ（Tablet PC）等、通話機能を有する機器に関する。また、本発明は、かかる通話機能を有する機器に用いて好適な制御方法およびプログラムに関する。
【背景技術】
【０００２】
従来、携帯電話機は、複数の機能を同時に実行することができる。たとえば、ユーザは、通話を行っている間に、カメラで写真を撮り、撮った写真を電子メールに添付して通話先へ送ることができる。
【０００３】
また、通話状態にある携帯電話機に通話相手と別の相手から着信があった場合、通話終了後、その携帯電話機へ通話中の着信履歴を伝える電子交換機が知られている（特許文献１参照）。
【先行技術文献】
【特許文献】
【０００４】
【特許文献１】特開平６−１０４９８８号公報
【発明の概要】
【発明が解決しようとする課題】
【０００５】
ユーザは、通話中に他の機能を利用した場合に、どのような機能を利用したかを通話後に確認したい場合がある。しかしながら、従来の携帯電話機では、ユーザは、通話中における他の機能の利用状況を、容易に確認することはできない。
【０００６】
また、上記電子交換機では、通話中における他の機能の利用状況を携帯電話機に伝えることはできない。
【０００７】
そこで、本発明は、通話中に実行された機器の動作の履歴を、ユーザが容易に確認できる、通話機能を有する機器を提供することを目的とする。
【課題を解決するための手段】
【０００８】
本発明の第１の態様に係る通話機能を有する機器は、表示部と、通話と異なる機能に係る処理の履歴情報を記憶する記憶部と、通話が終了した後の所定時点において、前記記憶部に記憶された前記処理の履歴情報を前記表示部に表示する表示制御部と、を備える。
【０００９】
本態様に係る通話機能を有する機器において、前記記憶部は、アプリケーションを起動する処理に基づく起動履歴情報、メッセージを送信する処理に基づく送信履歴情報、およびメッセージを受信する処理に基づく受信履歴情報の少なくとも一つを、前記処理の履歴情報として記憶するような構成とされ得る。
【００１０】
本態様に係る通話機能を有する機器において、前記表示制御部は、通話が終了した時点において、前記記憶部に記憶された前記処理の履歴情報を前記表示部に表示するような構成とされ得る。
【００１１】
本態様に係る通話機能を有する機器において、前記表示制御部は、通話の履歴情報の一
覧を前記表示部に表示し、当該一覧から何れかの通話の履歴情報が選択された場合、その通話の間に前記記憶部に記憶された前記処理の履歴情報を前記表示部に表示するような構成とされ得る。
【００１２】
本態様に係る通話機能を有する機器において、前記表示制御部は、前記表示部に表示された前記処理の履歴情報に対する所定操作に基づいて、前記処理の履歴情報よりも詳細な、前記処理に係る情報を前記表示部に表示するような構成とされ得る。
【００１３】
本態様に係る通話機能を有する機器において、前記記憶部はさらに、前記処理の履歴情報を、前記処理が行われた通話の履歴情報と対応付けて記憶するような構成とされ得る。この場合、前記表示制御部は、前記通話に対応付けられて前記記憶部に記憶された前記処理の履歴情報を、その通話に対応する前記処理の履歴情報として前記表示部に表示する。
【００１４】
本態様に係る通話機能を有する機器において、前記処理の履歴情報は、前記処理が行われた日時を示す日時情報を含み得る。この場合、前記表示制御部は、日時情報が示す日時が通話の期間に含まれる、前記処理の履歴情報を、その通話に対応する前記処理の履歴情報として前記表示部に表示する。
【００１５】
本発明の第２の態様は、通話機能を有する機器の制御方法に関する。本態様に係る制御方法は、通話中、通話と異なる機能に係る処理の履歴情報を記憶部に記憶するステップと、通話が終了した後の所定時点において、前記記憶部に記憶された前記処理の履歴情報を表示部に表示するステップと、を含む。
【００１６】
本発明の第３の態様に係るプログラムは、通話機能を有する機器のコンピュータに、通話中、通話と異なる機能に係る処理の履歴情報を記憶部に記憶する機能と、通話が終了した後の所定時点において、前記記憶部に記憶された前記処理の履歴情報を表示部に表示する機能と、を付与する。
【発明の効果】
【００１７】
本発明によれば、通話中に実行された機器の動作の履歴を、ユーザが容易に確認できる。
【００１８】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１９】
【図１】実施の形態に係る、携帯電話機の構成を示す図である。
【図２】実施の形態に係る、携帯電話機の全体構成を示すブロック図である。
【図３】実施の形態に係る、ホーム画面、ダイヤル画面および通話画面が表示されたディスプレイを示す図である。
【図４】実施の形態に係る、発信履歴テーブルおよび着信履歴テーブルの構成を示す図である。
【図５】実施の形態に係る、発信履歴記録処理および着信履歴記録処理を示すフローチャートである。
【図６】実施の形態に係る、撮影画面およびメール作成画面が表示されたディスプレイを示す図である。
【図７】実施の形態に係る、動作履歴テーブルの構成について説明するための図である。
【図８】実施の形態に係る、動作履歴記録処理を示すフローチャートである。
【図９】実施の形態に係る、通話処理を示すフローチャートである。
【図１０】実施の形態に係る、動作履歴情報の一覧を含むリストウィンドウが表示されたディスプレイ、および、リストウィンドウ上で選択された動作履歴情報に関する詳細内容が表示されたディスプレイを示す図である。
【図１１】実施の形態に係る、リストウィンドウ上で選択された動作履歴情報に関する詳細内容が表示されたディスプレイを示す図である。
【図１２】実施の形態に係る、通話履歴表示処理を示すフローチャートである。
【図１３】実施の形態に係る、通話履歴画面および動作履歴情報の一覧を含まない電話帳画面が表示されたディスプレイを示す図である。
【図１４】実施の形態に係る、動作履歴情報の一覧を含む電話帳画面が表示されたディスプレイを示す図である。
【図１５】変更例に係る、起動履歴テーブル、送信履歴テーブルおよび受信履歴テーブルの構成を示す図である。
【図１６】変更例に係る、通話処理を示すフローチャートである。
【発明を実施するための形態】
【００２０】
以下、本発明の実施の形態について、図面を参照して説明する。
【００２１】
図１（ａ）、（ｂ）および（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２２】
図１に示されるように、携帯電話機１は、キャビネット２と、ディスプレイ３と、タッチパネル４と、マイクロフォン５と、通話スピーカ６と、外部スピーカ７と、カメラ８とを含む。
【００２３】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２４】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２５】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２６】
キャビネット２の上部には、背面側にカメラ８が配されている。カメラ８は、ＣＣＤ、ＣＭＯＳセンサ等の撮像素子を含み、被写体を撮影する。
【００２７】
図２は、携帯電話機１の全体構成を示すブロック図である。
【００２８】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９を含む。
【００２９】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、ウェブブラウザ、地図、ゲーム、スケジュール管理、等のアプリケーションを含む。さらに、記憶部１２に記憶されるプログラムは、後述する、発信履歴記録処理、着信履歴記録処理、動作履歴記録処理、通話処理および通話履歴表示処理を実行するためのプログラムを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００３０】
記憶部１２には、プログラムの実行の際、一時的に利用または生成されるデータを記憶するワーキング領域も含まれる。
【００３１】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９等）を制御する。
【００３２】
画像出力部１３は、図１に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３３】
タッチ検出部１４は、図１に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。
【００３４】
なお、タッチ検出部１４は、ユーザの指がディスプレイ３、すなわち、タッチパネル４に近接したときに、指が近接した位置をタッチ位置として検出する構成であってもよい。たとえば、タッチ検出部１４のタッチパネル４が、静電容量式である場合、指がタッチパネル４に近接したときに静電容量の変化が検出閾値を超えるように、その感度が調整される。
【００３５】
ユーザは、タッチパネル４が設けられることにより、タッチパネル４に指を触れるあるいは近接させることにより様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００３６】
たとえば、タッチ検出部１４がタッチ位置を検出した場合に、タッチ位置が検出されて
から予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３７】
音声入力部１５は、マイクロフォン５を含む。音声入力部１５は、マイクロフォン５からの電気信号を音声処理部１７へ出力する。
【００３８】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３９】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４０】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４１】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４２】
図３（ａ）、（ｂ）および（ｃ）は、それぞれ、ホーム画面１０１、ダイヤル画面１０４および通話画面１０５が表示されたディスプレイ３を示す図である。
【００４３】
携帯電話機１では、初期画面として、ホーム画面１０１がディスプレイ３に表示される。図３（ａ）に示すように、ホーム画面１０１は、各種のアプリケーションを起動するための起動用アイコン１０１ａを含む。起動用アイコン１０１ａには、たとえば、電話アイコン１０１ｂ、カメラアイコン１０１ｃ、メールアイコン１０１ｄ等が含まれる。
【００４４】
ディスプレイ３には、ホーム画面１０１、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂ、およびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面に移行させるためのキーである。バックキー１０３ｃは、主に、実行された処理を１ステップ前の処理に戻すためのキーである。
【００４５】
電話を掛ける場合、ユーザは、電話アイコン１０１ｂに対してタップ操作を行う。電話のアプリケーションが起動されて、ディスプレイ３にダイヤル画面１０４が表示される。図３（ｂ）に示すように、ダイヤル画面１０４は、テンキー１０４ａと、表示窓１０４ｂ
と、発信キー１０４ｃを含む。
【００４６】
テンキー１０４ａへのタップ操作により電話番号が入力されると、入力された電話番号が表示窓１０４ｂに表示される。発信キー１０４ｃに対するタップ操作がなされると、入力された電話番号の電話機へ発信される。
【００４７】
なお、アプリケーションが実行され、ダイヤル画面１０４等、アプリケーションに基づく実行画面が表示されても、さらに、アプリケーションの進行に伴って実行画面が遷移しても、通知バー１０２および操作キー群１０３は、ディスプレイ３に表示され続ける。
【００４８】
発信先の電話機から応答があり、通信路が確立されて通話が可能な状態となると、ディスプレイ３に通話画面１０５が表示される。図３（ｃ）に示すように、通話画面１０５は、情報表示領域１０５ａ、スピーカ切替キー１０５ｂおよび終話キー１０５ｃを含む。情報表示領域１０５ａには、通話相手の電話番号、名前、写真等、通話相手に関する情報が含まれる。
【００４９】
ユーザは、通話相手との通話を行う。通話中、ユーザは、受話音声の出力先を通話スピーカ６から外部スピーカ７へ切り替える場合に、スピーカ切替キー１０５ｂへのタップ操作を行う。通話相手との通話が終わると、ユーザは、終話キー１０５ｃへのタップ操作を行う。
【００５０】
電話の着信があり、ユーザが所定の応答操作を行って通話が可能な状態となった場合も、ディスプレイ３に通話画面１０５が表示される。
【００５１】
通話が行われた場合、携帯電話機１には、通話履歴情報が記録される。通話履歴情報は、発信履歴情報と着信履歴情報とに分けられる。記憶部１２には、発信履歴テーブル１２ａおよび着信履歴テーブル１２ｂが備えられる。
【００５２】
図４（ａ）および（ｂ）は、それぞれ、発信履歴テーブル１２ａおよび着信履歴テーブル１２ｂの構成を示す図である。
【００５３】
発信履歴テーブル１２ａには、発信履歴情報が記録される。発信履歴情報は、発信先の電話番号、発信日時、通話開始日時、通話終了日時を含む。各発信履歴情報には、記録番号が付される。
【００５４】
着信履歴テーブル１２ｂには、着信履歴情報が記録される。着信履歴情報は、発信元の電話番号、着信日時、通話開始日時、通話終了日時を含む。各着信履歴情報には、記録番号が付される。
【００５５】
発信履歴情報および着信履歴情報の記録のため、発信履歴記録処理および着信履歴記録処理が制御部１１により実行される。
【００５６】
図５（ａ）は、発信履歴記録処理を示すフローチャートである。
【００５７】
制御部１１は、電話の発信があると（Ｓ１０１：ＹＥＳ）、発信先の電話番号および発信日時を発信履歴テーブル１２ａに記録する（Ｓ１０２）。さらに、制御部１１は、通話が開始されると（Ｓ１０３：ＹＥＳ）、通話開始日時を発信履歴テーブル１２ａに記録する（Ｓ１０４）。さらに、制御部１１は、通話が終了すると（Ｓ１０５：ＹＥＳ）、通話終了日時を発信履歴テーブル１２ａに記録する（Ｓ１０６）。通話が開始されることなく発信が停止すると（Ｓ１０７：ＹＥＳ）、制御部１１は、通話開始日時および通話終了日
時を発信履歴テーブル１２ａに記録することなく発信履歴記録処理を終了する。
【００５８】
図５（ｂ）は、着信履歴記録処理を示すフローチャートである。
【００５９】
制御部１１は、電話の着信があると（Ｓ１１１：ＹＥＳ）、発信元の電話番号および着信日時を着信履歴テーブル１２ｂに記録する（Ｓ１１２）。さらに、制御部１１は、通話が開始されると（Ｓ１１３：ＹＥＳ）、通話開始日時を着信履歴テーブル１２ｂに記録する（Ｓ１１４）。さらに、制御部１１は、通話が終了すると（Ｓ１１５：ＹＥＳ）、通話終了日時を着信履歴テーブル１２ｂに記録する（Ｓ１１６）。通話が開始されることなく着信が停止すると（Ｓ１１７：ＹＥＳ）、制御部１１は、通話開始日時および通話終了日時を着信履歴テーブル１２ｂに記録することなく着信履歴記録処理を終了する。
【００６０】
携帯電話機１は、マルチタスクの機能を備えており、複数のアプリケーションを並行して実行することができる。たとえば、ユーザは、電話のアプリケーションによる通話中に、電話と異なる機能のアプリケーションを利用できる。
【００６１】
通話中に他の機能のアプリケーションを利用する場合、ユーザは、図３（ｃ）に示す通話画面１０５がディスプレイ３に表示されている状態において、ホームキー１０３ｂに対するタップ操作を行う。これにより、図３（ａ）に示すホーム画面１０１がディスプレイ３に表示される。電話のアプリケーションは、バックグラウンドで引き続き実行され、ユーザは、通話を継続することができる。ユーザは、ディスプレイ３の表示をホーム画面１０１へ戻す前に、受話音声の出力先を外部スピーカ７へ切り替えることにより、通話を継続しながらディスプレイ３への操作を円滑に行うことができる。
【００６２】
図６（ａ）および（ｂ）は、それぞれ、撮影画面１０６およびメール作成画面１０７が表示されたディスプレイ３を示す図である。
【００６３】
ホーム画面１０１において、カメラアイコン１０１ｃに対してタップ操作が行われると、カメラのアプリケーションが起動される。ディスプレイ３には、図６（ａ）に示す撮影画面１０６が表示される。たとえば、ユーザは、通話しながら、通話相手に依頼された写真を撮影することができる。カメラのアプリケーションを終了すると、ディスプレイ３にホーム画面１０１が表示される。
【００６４】
次に、ホーム画面１０１において、メールアイコン１０１ｄに対してタップ操作が行われると、電子メールのアプリケーションが起動される。ユーザが新規メールを作成するための操作を行うと、ディスプレイ３には、図６（ｂ）に示すメール作成画面１０７が表示される。たとえば、ユーザは、先にカメラで撮影した写真を電子メールに添付し、通話相手の電話機へ送ることができる。
【００６５】
このように、ユーザは、通話中に、様々なアプリケーションを利用することや電子メール等のデータの送受信を行うことができる。この場合、ユーザは、通話中に、どのようなアプリケーションが利用されたか、あるいは、どのようなデータの送受信が行われたかを、その通話が終了した後に確認したいときがある。
【００６６】
そこで、本実施の形態の携帯電話機１では、通話の間にアプリケーションの起動、メッセージの送信およびメッセージの受信が行われると、それらの処理に係る履歴情報（以下、「動作履歴情報」と称する）が、その通話に対応付けて記憶部１２に記録され、通話終了後の所定の時点において、通話に対応付けられた動作履歴情報がディスプレイ３に表示される。なお、メッセージには、電子メールおよびテキストメッセージが含まれる。
【００６７】
記憶部１２には、動作履歴テーブル１２ｃが備えられている。図７（ａ）は、動作履歴テーブル１２ｃの構成を示し、図７（ｂ）は、アプリケーションの起動履歴情報、メッセージの送信履歴情報およびメッセージの受信履歴情報の詳細な構成を示す。
【００６８】
図７（ａ）に示すように、動作履歴テーブル１２ｃには、通話履歴情報（発信履歴情報、着信履歴情報）に付される記録番号、すなわち、通話履歴情報に対応付けられた状態で、動作履歴情報として、アプリケーションを起動する処理に基づく起動履歴情報、メッセージを送信する処理に基づく送信履歴情報、およびメッセージを受信する処理に基づく受信履歴情報が記録される。
【００６９】
図７（ｂ）に示すように、アプリケーションの起動履歴情報は、アプリケーションの名前、起動日時および付帯情報を含む。付帯情報は、アプリケーションの種別によって異なる。たとえば、電子メールのアプリケーションの場合、本文等の詳細な情報が保存された保存場所が付帯情報とされる。また、カメラのアプリケーションの場合、撮影されたら写真の保存場所が付帯情報とされる。
【００７０】
メッセージの送信履歴情報は、メッセージの種別（電子メール、テキストメール等）、送信日時、本文等の詳細な情報の保存場所を含む。メッセージの受信履歴情報は、メッセージの種別、受信日時、本文等の詳細な情報の保存場所を含む。
【００７１】
上記の動作履歴情報を記録するための動作履歴記録処理が制御部１１により実行される。
【００７２】
図８は、動作履歴記録処理を示すフローチャートである。
【００７３】
制御部１１は、通話が開始されたか否かを判定する（Ｓ２０１）。通話が開始されると（Ｓ２０１：ＹＥＳ）、制御部１１は、アプリケーションが起動されたか否か、メッセージが送信されたか否か、および、メッセージが受信されたか否かを判定する（Ｓ２０２、Ｓ２０３、Ｓ２０４）。
【００７４】
アプリケーションが起動されると（Ｓ２０２：ＹＥＳ）、制御部１１は、発信履歴テーブル１２ａまたは着信履歴テーブル１２ｂから読み出した今回の通話に係る記録番号に対応付けて、アプリケーションに係る起動履歴情報（名前、起動日時および付帯情報）を動作履歴テーブル１２ｃに記録する（Ｓ２０５）。
【００７５】
また、メッセージが送信されると（Ｓ２０３：ＹＥＳ）、制御部１１は、今回の通話に係る記録番号に対応付けて、送信されたメッセージに係る送信履歴情報（種別、送信日時および保存場所）を動作履歴テーブル１２ｃに記録する（Ｓ２０６）。
【００７６】
さらに、メッセージが受信されると（Ｓ２０４：ＹＥＳ）、制御部１１は、受信されたメッセージが通話相手から送信されたメッセージであるか否かを判定する（Ｓ２０７）。記憶部１２には、電話帳情報（電話番号、メールアドレス、名前、住所、写真など）が記録された電話帳テーブルが備えられている。たとえば、メッセージが電子メールの場合、送信元のメールアドレスが、電話帳テーブルに登録された通話相手のメールアドレスに一致すれば、制御部１１は、受信されたメッセージが通話相手からのメッセージであると判定する。受信されたメッセージが通話相手からのメッセージであれば（Ｓ２０７：ＹＥＳ）、制御部１１は、今回の通話に係る記録番号に対応付けて、受信されたメッセージに係る受信履歴情報（種別、受信日時および保存場所）を動作履歴テーブル１２ｃに記録する（Ｓ２０８）。
【００７７】
通話が終了すると（Ｓ２０９：ＹＥＳ）、制御部１１は、動作履歴記録処理を終了する。
【００７８】
本実施の形態の携帯電話機１では、通話が終了した時点において、その通話の間に記録された動作履歴情報がディスプレイ３に表示される。
【００７９】
図９は、通話処理を示すフローチャートである。携帯電話機１からの発信に対して発信先の電話機から応答がなされた場合、および、発信元からの着信に対して携帯電話機１から応答がなされた場合に、制御部１１により通話処理が開始される。
【００８０】
通話処理が開始されると、制御部１１は、通信路を確立する（Ｓ３０１）。通信路が確立されると、制御部１１は、通話画面１０５（図３（ｃ）参照）をディスプレイ３に表示し（Ｓ３０２）、通話制御を開始する（Ｓ３０３）。制御部１１は、通信部１９により受信した受話音声を通話スピーカ６または外部スピーカ７から出力する。また、制御部１１は、マイクロフォン５に入力された発話音声を通信部１９から送信する。
【００８１】
終話操作、すなわち、終話キー１０５ｃへのタップ操作が行われると（Ｓ３０４：ＹＥＳ）、制御部１１は、通信路を遮断する（Ｓ３０５）。
【００８２】
制御部１１は、今回の通話に関する動作履歴情報が動作履歴テーブル１２ｃに記録されているか否かを判定する（Ｓ３０６）。動作履歴情報が動作履歴テーブル１２ｃに記録されていなければ（Ｓ３０６：ＮＯ）、制御部１１は、通話画面１０５を閉じて（Ｓ３０７）、通話処理を終了する。
【００８３】
一方、動作履歴情報が動作履歴テーブル１２ｃに記録されていれば（Ｓ３０６：ＹＥＳ）、制御部１１は、動作履歴テーブル１２ｃから動作履歴情報（起動履歴情報、送信履歴情報および受信履歴情報）を読み出し、動作履歴情報の一覧を含むリストウィンドウ１０８を生成し、生成したリストウィンドウ１０８を通話画面１０５に重ねてディスプレイ３に表示する（Ｓ３０８）。
【００８４】
図１０（ａ）は、リストウィンドウ１０８が表示されたディスプレイ３を示す。リストウィンドウ１０８は、情報表示欄１０８ａおよび確認キー１０８ｂを含む。たとえば、情報表示欄１０８ａには、起動履歴情報として、起動されたアプリケーションの名前が表示され、送信履歴情報として、送信されたメッセージの種別が表示され、受信履歴情報として、受信されたメッセージの種別が表示される。各動作履歴情報は、たとえば、上から日時の早い順に並べられる。情報表示欄１０８ａは、各動作履歴情報が表示される表示欄１０８ｃと、表示欄１０８ｃの隣に配置される詳細キー１０８ｄを含む。なお、図１０（ａ）には、通話中に、カメラと電子メールのアプリケーションが起動され、電子メールが送信され、テキストメッセージが受信された場合のリストウィンドウ１０８が例示されている。
【００８５】
制御部１１は、確認操作、すなわち、確認キー１０８ｂへのタップ操作がなされたか否かを判定する（Ｓ３０９）。また、制御部１１は、何れかの動作履歴情報への詳細内容の表示操作、すなわち、何れかの詳細キー１０８ｄへのタップ操作がなされたか否かを判定する（Ｓ３１０）。確認操作がなされると（Ｓ３０９：ＹＥＳ）、制御部１１は、通話画面１０５を閉じて（Ｓ３０７）、通話処理を終了する。
【００８６】
詳細内容の表示操作がなされると（Ｓ３１０：ＹＥＳ）、制御部１１は、表示操作がなされた動作履歴情報に関して、詳細内容をディスプレイ３に表示する（Ｓ３１１）。
【００８７】
図１０（ｂ）は、通話中に起動されたカメラのアプリケーションに係る詳細内容が表示されたディスプレイ３を示す図である。
【００８８】
カメラのアプリケーションの起動履歴情報が表示された表示欄１０８ｃに対応する詳細キー１０８ｄへのタップ操作がなされると、制御部１１は、動作履歴テーブル１２ｃに記録された保存場所からカメラで撮影された写真を読み出し、読み出した写真のサムネイルを作成する。制御部１１は、表示欄１０８ｃの領域を拡げ、拡げた領域に作成したサムネイルを配置する。
【００８９】
図１０（ｃ）は、通話中に起動された電子メールのアプリケーションに係る詳細内容が表示されたディスプレイ３を示す図である。
【００９０】
電子メールのアプリケーションの起動履歴情報が表示された表示欄１０８ｃに対応する詳細キー１０８ｄへのタップ操作がなされると、制御部１１は、動作履歴テーブル１２ｃに記録された保存場所からメールアドレスを読み出す。さらに、制御部１１は、読み出したメールアドレスに基づいて、電話帳テーブルから電子メールの送信相手の写真および名前を読み出す。制御部１１は、表示欄１０８ｃの領域を拡げ、拡げた領域に読み出したメールアドレス、写真および名前を配置する。
【００９１】
図１１（ａ）は、通話中に送信された電子メールに係る詳細内容が表示されたディスプレイ３を示す図である。
【００９２】
電子メールの送信履歴情報が表示された表示欄１０８ｃに対応する詳細キー１０８ｄへのタップ操作がなされると、制御部１１は、電子メールのアプリケーションを起動するとともに、動作履歴テーブル１２ｃに記録された保存場所から本文等の詳細情報を読み出して、送信された電子メールの詳細内容を閲覧するための閲覧画面１０９をディスプレイ３に表示する。
【００９３】
図１１（ｂ）は、通話中に受信されたテキストメッセージに係る詳細内容が表示されたディスプレイ３を示す図である。
【００９４】
テキストメッセージの受信履歴情報が表示された表示欄１０８ｃに対応する詳細キー１０８ｄへのタップ操作がなされると、制御部１１は、テキストメッセージのアプリケーションを起動するとともに、動作履歴テーブル１２ｃに記録された保存場所から本文等の詳細情報を読み出して、受信されたテキストメッセージの詳細内容を閲覧するための閲覧画面１１０をディスプレイ３に表示する。
【００９５】
本実施の形態の携帯電話機１では、通話履歴情報の一覧が表示された通話履歴画面１１１から、何れかの通話履歴情報が選択された時点において、その通話の間に記録された動作履歴情報がディスプレイ３に表示される。
【００９６】
図１２は、通話履歴表示処理を示すフローチャートである。ユーザにより通話履歴を呼び出すための操作がなされた場合に、制御部１１により通話履歴表示処理が開始される。
【００９７】
通話履歴表示処理が開始されると、制御部１１は、通話履歴画面１１１をディスプレイ３に表示する（Ｓ４０１）。図１３（ａ）は、通話履歴画面１１１を示す。通話履歴画面１１１には、通話履歴情報、すなわち、発信履歴情報および着信履歴情報の一覧が表示される。たとえば、制御部１１は、各表示欄１１１ａに、通話履歴情報として、通話相手の電話番号、発信日時（着信日時）、名前、写真を表示する。さらに、通話履歴画面１１１には、各表示欄１１１ａの隣に発信キー１１１ｂが配置される。
【００９８】
上記の例では、通話履歴画面１１１に、発信履歴情報と着信履歴情報の双方が含まれる。しかしながら、発信履歴情報を含む通話履歴画面と着信履歴情報を含む通話履歴画面とが別々に表示される構成が採られてもよい。
【００９９】
制御部１１は、何れかの通話履歴情報を選択する操作、すなわち、何れかの表示欄１１１ａへのタップ操作が行われたか否かを判定する（Ｓ４０２）。また、制御部１１は、何れかの通話履歴情報に関して発信操作、すなわち、何れかの発信キー１１１ｂへのタップ操作が行われたか否かを判定する（Ｓ４０３）。さらに、制御部１１は、終了操作、すなわち、バックキー１０３ｃへのタップ操作がなされたか否かを判定する（Ｓ４０４）。
【０１００】
何れかの通話履歴情報を選択するための操作が行われると（Ｓ４０２：ＹＥＳ）、制御部１１は、動作履歴テーブル１２ｃを参照することにより、選択された通話履歴情報に対応付けられた動作履歴情報が存在するか否かを判定する（Ｓ４０５）。動作履歴情報が存在しない場合（Ｓ４０５：ＮＯ）、制御部１１は、動作履歴情報の一覧を含まない電話帳画面１１２をディスプレイ３に表示する（Ｓ４０６）。
【０１０１】
図１３（ｂ）は、動作履歴情報の一覧を含まない電話帳画面１１２を示す。電話帳画面１１２は、電話帳情報表示欄１１２ａを含む。電話帳情報表示欄１１２ａには、選択された動作履歴情報が示す通話相手の電話帳情報、たとえば、名前、電話番号、メールアドレス、住所、顔写真が表示される。
【０１０２】
終了操作、すなわち、バックキー１０３ｃへのタップ操作が行われると（Ｓ４０７：ＹＥＳ）、制御部１１は、電話帳画面１１２を閉じて、ディスプレイ３に通話履歴画面１１１を表示する（Ｓ４０１）。
【０１０３】
一方、ステップＳ４０５において、動作履歴情報が存在すると判定すると（Ｓ４０５：ＹＥＳ）、制御部１１は、動作履歴テーブル１２ｃから動作履歴情報を読み出し、動作履歴情報の一覧を含む電話帳画面１１３をディスプレイ３に表示する（Ｓ４０８）。
【０１０４】
図１４（ａ）は、動作履歴情報の一覧を含む電話帳画面１１３を示す。電話帳画面１１３は、電話帳情報表示欄１１３ａおよび動作履歴情報表示欄１１３ｂを含む。電話帳情報表示欄１１３ａには、動作履歴情報が示す通話相手の電話帳情報が表示される。電話帳情報表示欄１１３ａは、上下方向にスクロール可能であり、ユーザが上下方向へのスクロール操作を行うことにより、全ての電話帳情報が表示される。動作履歴情報表示欄１１３ｂには、動作履歴情報リスト１１４が表示される。動作履歴情報リスト１１４の構成は、図１０（ａ）に示されたリストウィンドウ１０８の情報表示欄１０８ａと同様である。
【０１０５】
制御部１１は、終了操作、すなわち、バックキー１０３ｃへのタップ操作が行われたか否か、何れかの動作履歴情報への詳細内容の表示操作、すなわち、何れかの表示欄１１４ａに対応する詳細キー１１４ｂへのタップ操作が行われたか否かを判定する（Ｓ４０９、Ｓ４１０）。終了操作が行われると（Ｓ４０９：ＹＥＳ）、制御部１１は、電話帳画面１１３を閉じて、ディスプレイ３に通話履歴画面１１１を表示する（Ｓ４０１）。
【０１０６】
一方、何れかの動作履歴情報への詳細内容の表示操作が行われると（Ｓ４１０：ＹＥＳ）、制御部１１は、図９に示された通話処理と同様、表示操作がなされた動作履歴情報に関して、詳細内容をディスプレイ３に表示する（Ｓ４１１）。図１４（ｂ）には、通話中に起動された電子メールのアプリケーションに係る詳細内容が表示されたディスプレイ３が示されている。
【０１０７】
本実施の形態によれば、ユーザは、通話中に行われた、通話と異なる機能に係る処理に基づく動作履歴情報、具体的には、アプリケーションの起動履歴情報、メッセージの送信履歴およびメッセージの受信履歴情報を、通話が終了した後に確認することができる。
【０１０８】
さらに、本実施の形態によれば、通話が終了した時点で、自動的に、動作履歴情報の一覧がディスプレイ３に表示されるので、ユーザは、何らの操作を行うことなく、終了した通話に係る動作履歴情報を終了後直ちに確認できる。
【０１０９】
さらに、本実施の形態によれば、通話履歴画面１１１上での操作により、動作履歴情報の一覧がディスプレイ３に表示されるので、通話が終了した後しばらく期間が経過した後においても、ユーザは、以前行われた通話に関する動作履歴情報を確認できる。
【０１１０】
さらに、本実施の形態によれば、動作履歴情報の一覧から何れかの動作履歴情報を選択すると、選択された動作履歴情報に関して詳細内容がディスプレイに表示される。よって、ユーザは、通話の間に行われた携帯電話機１の処理に関して、より詳細な情報を得ることができる。
【０１１１】
さらに、本実施の形態では、通話の間に生じた処理に基づく動作履歴情報が、その通話に係る通話履歴情報に対応付けて動作履歴テーブル１２ｃに記憶される構成が採られている。よって、通話が行われていない間に生じた処理に基づく動作履歴情報は記憶部１２に記録されないので、記憶部１２に記憶される情報量が増大することを抑制できる。
【０１１２】
以上、本発明の実施の形態について説明したが、本発明は、上記実施の形態等によって何ら制限されるものではなく、また、本発明の実施の形態も、上記以外に種々の変更が可能である。
【０１１３】
＜変更例＞
本変更例では、発信履歴テーブル１２ａ、着信履歴テーブル１２ｂおよび動作履歴テーブル１２ｃに加えて、起動履歴テーブル１２ｄ、送信履歴テーブル１２ｅ、および受信履歴テーブル１２ｆが記憶部１２に備えられる。
【０１１４】
図１５（ａ）、（ｂ）および（ｃ）は、それぞれ、起動履歴テーブル１２ｄ、送信履歴テーブル１２ｅおよび受信履歴テーブル１２ｆの構成を示す図である。
【０１１５】
本変更例では、通話中であるか否かに係わらず、携帯電話機１の動作中、アプリケーションが起動されたときに起動履歴テーブル１２ｄに起動履歴情報が記録され、メッセージが送信されたときに送信履歴テーブル１２ｅに送信履歴情報が記録され、メッセージが受信されたときに受信履歴テーブル１２ｆに受信履歴情報が記録される。起動履歴情報、送信履歴情報および受信履歴情報の構成は、上記実施の形態と同様であり、起動履歴情報は起動日時を含み、送信履歴情報は、送信日時を含み、受信履歴情報は、受信日時を含む。本変更例では、動作履歴記録処理は実行されない。
【０１１６】
図１６は、本変更例に係る、通話処理を示すフローチャートである。本変更例では、図９の通話処理に対して、ステップＳ３０６の処理が削除され、ステップＳ３２１ないしステップＳ３２３の処理が追加される。
【０１１７】
以下、図９の通話処理と異なる処理について説明する。
【０１１８】
通信路が遮断されると（Ｓ３０５）、制御部１１は、発信履歴テーブル１２ａまたは着信履歴テーブル１２ｂと、起動履歴テーブル１２ｄ、送信履歴テーブル１２ｅ、および受
信履歴テーブル１２ｆとを参照し、起動日時が今回の通話期間内にあるアプリケーションの起動履歴情報、送信日時が今回の通話期間内にあるメッセージの送信履歴情報、および、受信日時が今回の通話期間内にある、通話相手が送信元のメッセージの受信履歴情報を各履歴テーブル１２ｄ、１２ｅ、１２ｆから抽出する（Ｓ３２１）。起動履歴情報、送信履歴情報および受信履歴情報の何れもが抽出されなければ（Ｓ３２２：ＮＯ）、制御部１１は、通話画面１０５を閉じる（Ｓ３０７）。
【０１１９】
一方、起動履歴情報、送信履歴情報および受信履歴情報のうち、少なくとも何れか一つが抽出されれば（Ｓ３２２：ＹＥＳ）、制御部１１は、抽出された起動履歴情報、送信履歴情報および受信履歴情報を、今回の通話に係る通話履歴情報に付された記録番号に対応付けて動作履歴テーブル１２ｃに記録する（Ｓ３２３）。その後、制御部１１は、抽出された動作履歴情報（起動履歴情報、送信履歴情報および受信履歴情報）の一覧からなるリストウィンドウ１０８をディスプレイ３に表示する（Ｓ３０８）。
【０１２０】
本変更例によれば、上記実施の形態と同様、ユーザは、通話中に行われた、通話と異なる機能に係る処理に基づく動作履歴情報（アプリケーションの起動履歴情報、メッセージの送信履歴、メッセージの受信履歴情報）を、通話が終了した後に確認することができる。
【０１２１】
＜その他の変更例＞
上記実施の形態では、通話期間内の、アプリケーションの起動履歴情報、メッセージの送信履歴情報およびメッセージの受信履歴情報が、動作履歴情報として、記憶部１２に記録され、その通話が終了した後にディスプレイ３に表示される。しかしながら、動作履歴情報は、これら起動履歴情報、送信履歴情報および受信履歴情報に限られるものではない。たとえば、通話期間内にデータの削除が行われるとデータの削除履歴情報が記憶部１２に記録され、記録された削除履歴情報が、その通話の間の動作履歴情報としてディスプレイ３に表示される構成が採られてもよい。あるいは、通話期間内にデータの編集が行われるとデータの編集履歴情報が記憶部１２に記録され、記録された編集履歴情報が、その通話の間の動作履歴情報としてディスプレイ３に表示される構成が採られてもよい。
【０１２２】
さらに、上記実施の形態では、通話中に受信された、送信元が通話相手であるメッセージの受信履歴情報が動作履歴テーブル１２ｃに記録される。しかしながら、通話中に受信された、送信元が通話相手以外の者であるメッセージの受信履歴情報が動作履歴テーブル１２ｃに記録される構成が採られてもよい。ただし、上記実施の形態のように、送信元が通話相手であるメッセージの受信履歴情報が動作履歴テーブル１２ｃに記録される構成とすれば、通話と関係しないメッセージの受信履歴情報がディスプレイ３に表示されることを抑制できる。
【０１２３】
上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１２４】
さらに、本発明は、携帯電話機に限られず、固定電話機、通話機能付きのＰＤＡ（PersonalDigital Assistant）、通話機能付きのタブレットＰＣ（Tablet PC）等、通話機能を有する各種の機器に適用可能である。
【０１２５】
この他、本発明の実施形態は、特許請求の範囲に示された技術的思想の範囲内において、適宜、種々の変更が可能である。
【符号の説明】
【０１２６】
３  ディスプレイ（表示部）
１１  制御部（表示制御部）
１２  記憶部
１２ｃ  動作履歴テーブル
１２ｄ  起動履歴テーブル
１２ｅ  送信履歴テーブル
１２ｆ  受信履歴テーブル
【図１】
2015056871.tif 000003
【図２】
2015056871.tif 000004
【図３】
2015056871.tif 000005
【図４】
2015056871.tif 000006
【図５】
2015056871.tif 000007
【図６】
2015056871.tif 000008
【図７】
2015056871.tif 000009
【図８】
2015056871.tif 000010
【図９】
2015056871.tif 000011
【図１０】
2015056871.tif 000012
【図１１】
2015056871.tif 000013
【図１２】
2015056871.tif 000014
【図１３】
2015056871.tif 000015
【図１４】
2015056871.tif 000016
【図１５】
2015056871.tif 000017
【図１６】
2015056871.tif 000018